(57)【要約】【課題】着脱が可能な保護カバーを、エンクロージャの前面に特別な取付部位を具備することなく取り付けることを可能とする。【解決手段】中高音用スピーカ３に対して同心円状の開口部２を持つエンクロージャ１と、エンクロージャ１の内部でかつ開口部２から音波を放出可能な位置に設置した低音用スピーカ４と、グリル部５ａを有し着脱可能な保護カバー５とから構成し、保護カバー５は中高音スピーカユニット３の前面側を保護し、開口部２の縁端に保持部材６を介して保持可能とする。【選択図】図３
2011176724.tif 000002
【特許請求の範囲】
【請求項１】
エンクロージャの開口部に向けて配置した中高音用スピーカと、前記エンクロージャの内部でかつ前記開口部から音が放出される位置に配置した低音用スピーカと、前記開口部に着脱可能な保護カバーとから成ることを特徴とするスピーカ装置。
【請求項２】
前記保護カバーは前記開口部のうち、前記中高音用スピーカの音が放出される前記開口部の縁端に保持することを特徴とする請求項１に記載のスピーカ装置。
【請求項３】
前記保護カバーは前記開口部のうち前記低音用スピーカからの音が放出される前記開口部の縁端に保持することを特徴とする請求項１に記載のスピーカ装置。
【請求項４】
前記保護カバーはガイドを有し、該ガイドは前記中高音用スピーカの軸と垂直となす面方向の位置決めを前記開口部の縁端を用いて行うことを特徴とする請求項１又は２に記載のスピーカ装置。
【請求項５】
前記低音用スピーカは前記中高音用スピーカの後部に配置し音が放出される方向と同軸とすることを特徴とする請求項１又は４に記載のスピーカ装置。
【請求項６】
前記保護カバーは前記中高音用スピーカの前面を保護することを特徴とする請求項１〜５の何れか１つの請求項に記載のスピーカ装置。
【発明の詳細な説明】
【技術分野】
【０００１】
本発明は、着脱自在の保護カバーを設けたスピーカ装置に関するものである。
【背景技術】
【０００２】
通常のスピーカ装置は、スピーカコーン等を保護するために、サランネットやパンチングメタル等を用いた保護カバーによって前面部が覆われていることが多い。しかし、スピーカ装置によって再生される音は保護カバーを通過するため、使用者の耳には保護カバーにより或る特定の周波数帯域の音が減衰して届くことになる。そのため、スピーカ装置を使用するときは保護カバーを外し、使用しないときは保護カバーを取り付けるといった着脱の容易な保護カバーが求められる。
【０００３】
一方、スピーカ装置は保護カバーを取り付けたとき、或いは取り外したときの双方において、外観を損うことがないということも重要な要素である。
【０００４】
そこで特許文献１においては、着脱可能な保護カバーを有するスピーカ装置が開示されている。この特許文献１に記載のスピーカ装置及び保護カバーの取付方法によると、保護カバーはねじ止めされていたり、磁石で固定されていたり、両面テープを用いて保持されている。また、剥離可能な接着剤を用いたり、特別な取付部位を持たせている。
【先行技術文献】
【特許文献】
【０００５】
【特許文献１】特開２００５−２１０６６１号公報
【発明の概要】
【発明が解決しようとする課題】
【０００６】
しかし特許文献１に示すように、保護カバーが接着剤で接合されていれば、容易に着脱することができない。また、接着剤が規定量よりも多いと、接着剤が外観部分に露出し見栄えが悪くなる虞れがある。
【０００７】
また、保護カバーをねじ止めする場合には、着脱にねじとドライバが必要であると共に、ねじを露出しないような構造を用いる必要があり、取り付けの容易性が損われる。
【０００８】
着脱容易な取付部材を使用すると、保護カバーの着脱が容易であるが、保護カバーを取り外したときに取付部材が露出し、外観が損われることがある。
【０００９】
本発明の目的は、上述の問題点を解消し、エンクロージャに特別な取付部位を具備することなく、保護カバーの着脱が可能なスピーカ装置を提供することにある。
【課題を解決するための手段】
【００１０】
上記目的を達成するための本発明に係るスピーカ装置は、エンクロージャの開口部に向けて配置した中高音用スピーカと、前記エンクロージャの内部でかつ前記開口部から音が放出される位置に配置した低音用スピーカと、前記開口部に着脱可能な保護カバーとから成ることを特徴とする。
【発明の効果】
【００１１】
本発明に係るスピーカ装置によれば、保護カバーを保持する特別な部位、部材をエンクロージャが具備することなく、保護カバーを容易に着脱できる。また、保護カバーにガイドを設け、ガイドは中高音用スピーカの軸と垂直となる面方向の位置決めを開口部の縁端を用いて行うようにすると、スピーカ等を破損することなく保護カバーを着脱することができる。
【図面の簡単な説明】
【００１２】
【図１】実施例１のスピーカ装置の正面図である。
【図２】保護カバーを取り外した状態のスピーカ装置の正面図である。
【図３】図１のＡ−Ａ線に沿った断面図である。
【図４】傷防止用部材を設けた保護カバーの断面図である。
【図５】実施例２のスピーカ装置の正面図である。
【図６】保護カバーを取り外した状態のスピーカ装置の正面図である。
【図７】図５のＢ−Ｂ線に沿った断面図である。
【図８】保護カバーの取付部分の構成図である。
【図９】保護カバーの取付方法の説明図である。
【図１０】保護カバーの取付方法の説明図である。
【図１１】保護カバーの取付方法の説明図である。
【発明を実施するための形態】
【００１３】
本発明を図示の実施例に基づいて詳細に説明する。
【実施例１】
【００１４】
図１は実施例１のスピーカ装置の正面図、図２は保護カバーを取り外した状態の正面図、図３は図１のＡ−Ａ線に沿った断面図である。中空の筐体から成るエンクロージャ１には、同心円状に配置された複数の開口部２が設けられ、その略中心にツイータと呼ばれる中高音用スピーカ３が配置されている。中高音用スピーカ３は開口部２の内側に保持され、外方に向けて音を発生させるようになっている。
【００１５】
ウーファと呼ばれる低音用スピーカ４は、エンクロージャ１の下方内部において、スピーカコーン４ａを内部上方に向けて配置されている。中高音用スピーカ３と低音用スピーカ４からの音は、開口部２を介してエンクロージャ１の外部に放出することによってスピーカ装置として機能する。
【００１６】
また、エンクロージャ１の前面には、縁端に合成樹脂等の弾性体から成り傷防止部材としても機能する保持部材６を備えた保護カバー５が、開口部２の外周端に取り付けられている。保持部材６は弾性力によって開口部２に着脱可能な構造とされ、開口部２の縁端を乗り越えて取り付けられるようになっている。
【００１７】
図４は合成樹脂等の傷防止用部材を保持部材６に用いた例を示し、保持部材６はエンクロージャ１を傷付けることがない。保護カバー５は開口部２を覆うことにより、中高音用スピーカ３の前面部と低音用スピーカ４のスピーカコーン４ａを保護している。これにより、開口部２からの異物混入と、中高音用スピーカ３の破損を防止することができる。
【００１８】
また保護カバー５には、中高音用スピーカ３と低音用スピーカ４からの音を放出するための網状又は格子状のグリル部５ａが設けられている。このグリル部５ａにより、使用者は保護カバー５を取り付けた状態でスピーカ装置を機能させることができ、使用形態が多様化する。
【００１９】
このように、音が放出するために設けられる開口部２に、保護カバー５を保持部材６を介して保持することにより、エンクロージャ１に特別なねじ孔、接着材等の取付部位を設ける必要がない。これにより、外観を損ねることなく、保護カバー５の着脱が可能なスピーカ装置を得ることができる。
【００２０】
低音用スピーカ４はエンクロージャ１の内部の中高音用スピーカ３の上側に配置してもよい。しかし、低音用スピーカ４を上側に配置すると、スピーカ装置の重心の位置が上昇し、転倒等の危険性が生ずる。従って、低音用スピーカ４はエンクロージャ１の内部で、中高音用スピーカ３よりも下方に配置することが望ましい。
【００２１】
また、保護カバー５にはグリル部５ａが設けられているが、枠体に防護ネットを張ったものでもよい。また、開口部２の縁端の保持部材６の摺動部分に、例えばフェルト、軟質樹脂、スポンジ等のフォーム材、テフロン（登録商標）等の低摩擦樹脂、又はこれらを積層したものから成る傷防止用部材を設けてもよい。このような傷防止用部材を設けることにより、エンクロージャ１の表面を傷付ける虞れを軽減できる。傷防止用部材はエンクロージャ１に設けてもよいが、保持部材６に設けると、外観を損ねることなく取り付けることができる。
【実施例２】
【００２２】
図５は実施例２のスピーカ装置の正面図、図６は保護カバーを取り外した状態のスピーカ装置の正面図、図７は図５のＢ−Ｂ線に沿った断面図を示している。エンクロージャ１１は内部を中空とした球体とされ、前部に複数個の開口部１２が同心円状に配置され、これらの開口部１２の後部に中高音用スピーカ３、更にその後部に音が放出される方向を同軸とするように低音用スピーカ４が配列されている。
【００２３】
高音は低音に比べると波長が短く、回り込み難いという特性を有しているので、中高音用スピーカ３はエンクロージャ１１の内部前方に取り付けることが好ましい。
【００２４】
中高音用スピーカ３の後部の背面部３ａと低音用スピーカ４のスピーカコーン４ａの間には空間部が形成され、低音用スピーカ４からの音は円弧状に配列された開口部１２から外部に放出されるようになっている。
【００２５】
特に、本実施例２のようにスピーカ３、４を同軸上に配置する構造であれば、スピーカ３、４の音源を同軸、かつ近距離に配置することが可能となり、各スピーカ３、４の同期をとることが容易となる。円弧状に配列した開口部１２に対して、中高音用スピーカ３を略中心の開口部１２に設けると、低音と中高音の再生音が略軸対称に放射されるため、良好な音場が生成される。
【００２６】
中央の開口部１２を覆う半球状の保護カバー１３の例えば３個の先端には、ガイド１４が備えられており、ガイド１４は中高音用スピーカ３の軸と垂直となす面方向の位置決めを開口部１２の縁端を用いて取り付けを行う。これにより、保護カバー１３をエンクロージャ１１に取り付ける際に、安定して不慮の接触を防ぎ破損を防止することができる。なお、音声を再生する際には、保護カバー１３を取り外すようにすれば、保護カバー１３にグリル部を設けなくともよい。
【００２７】
図８に示すように、保護カバー１３の端部の３個所には、可動部１５を介してガイド１４が取り付けられている。可動部１５は可動部材１６を保護カバー１３に固定し、ガイド１４間に圧縮ばね等の弾性部材１７を有している。また、可動部１５には連結部１８が内側に突出されている。
【００２８】
保護カバー１３を取り付ける場合には、ガイド１４を開口部１２の後端に接触し可動部材１６を矢印ａの方向に押し当て、弾性部材１７を圧縮し、連結部１８が開口部１２を通るように可動部１５を操作する。
【００２９】
図９に示すように可動部１５を更にａ方向に移動し、図１０に示すように連結部１８が開口部１２を通過する。図１１に示すように手を離して可動部材１６の押し当てを解除すると、弾性部材１７の復元によって可動部材１６が矢印ｂ方向に戻り、連結部１８が開口部１２の縁端に係止する。
【００３０】
なお、ガイド１４は開口部１２の外縁部を用いて位置決めを行っているが、開口部１２の内縁部を用いることもできる。
【００３１】
また、保護カバー１３を取り外す際には、上述と逆の動作を行うことにより取り外すことができる。
【００３２】
実施例２ではガイド１４、可動部１５は保護カバー１３の３個所に設けたが、少なくとも２個所設けることにより着脱可能となる。なお、可動部１５はこの構成に限定するものではない。
【符号の説明】
【００３３】
１、１１  エンクロージャ
２、１２  開口部
３  中高音用スピーカ
４  低音用スピーカ
５、１３  保護カバー
６  保持部材
１４  ガイド
１５  可動部
１６  可動部材
１７  弾性部材
１８  連結部
【図１】
2011176724.tif 000003
【図２】
2011176724.tif 000004
【図３】
2011176724.tif 000005
【図４】
2011176724.tif 000006
【図５】
2011176724.tif 000007
【図６】
2011176724.tif 000008
【図７】
2011176724.tif 000009
【図８】
2011176724.tif 000010
【図９】
2011176724.tif 000011
【図１０】
2011176724.tif 000012
【図１１】
2011176724.tif 000013